(57)【特許請求の範囲】
【請求項１】
光ディスクに形成されたグルーブの蛇行を基準にして、前記光ディスクに熱磁気記録されたデータを再生する光ディスク装置において、
前記光ディスクに光ビームを照射して得られる戻り光の偏光面に応じて相補的に信号レベルが変化する第１及び第２の光量検出信号の差動出力信号より、前記戻り光の偏光面に応じて信号レベルが変化する再生信号を生成すると共に、前記戻り光より、前記グルーブの蛇行に応じて信号レベルが変化するウォブル信号を生成する信号生成手段と、
前記再生信号より前記ウォブル信号の信号成分を抽出して出力する帯域制限手段と、
前記ウォブル信号の信号成分の信号レベルを検出し、信号レベル検出結果を出力する信号レベル検出手段と、
前記ウォブル信号の信号成分と、前記ウォブル信号とを位相比較し、位相比較結果を出力する位相比較手段と、
前記信号レベル検出結果及び前記位相比較結果に基づいて、第１及び又は第２の光量検出信号の信号レベルを補正する信号レベル補正手段と
を備えることを特徴とする光ディスク装置。
【請求項２】
前記位相比較手段は、
前記ウォブル信号の信号成分及び又は前記ウォブル信号を所定位相だけ位相補正して前記位相比較結果を検出する
ことを特徴とする請求項１に記載の光ディスク装置。
【発明の詳細な説明】
【０００１】
【発明の属する技術分野】
本発明は、光ディスク装置に関し、特に光磁気ディスク装置に適用することができる。本発明は、再生信号から検出されるウォブル信号成分の信号レベルと位相検出結果とに基づいて、差動出力により再生信号を生成する第１及び第２の光量検出信号の信号レベルを補正することにより、又はそれぞれ第１及び第２の光量検出信号において、ウォブル信号成分を抽出して減算することにより、ウォブル信号の再生信号への漏れ込みを低減する。
【０００２】
【従来の技術】
従来、ミニディスク装置においては、光ディスクでなるミニディスクに形成されたグルーブを基準にしてレーザービームを照射することにより、ミニディスクをアクセスするようになされている。
【０００３】
すなわちミニディスクの作成工程では、所定周波数のキャリア信号を各記録再生位置のアドレス情報により周波数変調してウォブル信号が生成される。ミニディスクは、レーザービームのガイド溝を担うグルーブが情報記録面に形成され、このグルーブがウォブル信号により蛇行して形成される。
【０００４】
これによりミニディスク装置は、ミニディスクにレーザービームを照射して得られる戻り光よりこのグルーブの蛇行に応じて信号レベルが変化するウォブル信号を再生し、このウォブル信号よりレーザービーム照射位置のアドレス情報を取得する。ミニディスク装置は、このアドレス情報を基準にしてミニディスクをアクセスする。
【０００５】
このミニディスクのアクセスにおいて、ミニディスク装置は、戻り光の偏光面の変化に応じて信号レベルが変化する再生信号を検出することにより、磁気カー効果を利用してミニディスクに記録されたマーク及びスペースに応じて信号レベルが変化する再生信号を得、この再生信号を処理して熱磁気記録したデータを再生するようになされている。
【０００６】
【発明が解決しようとする課題】
ところでミニディスク装置においては、再生信号にウォブル信号が漏れ込む場合がある。このウォブル信号の漏れ込みを低減することができれば、再生信号の波形劣化を低減し、エラーレートを向上することができる。
【０００７】
詳細に検討したところ、この漏れ込みは、レーザービームを透過するミニディスク基板の面内複屈折により変化し、ミニディスクにおいては、この面内複屈折がミニディスクの半径方向で変化する。さらに漏れ込みは、複屈折量に応じて変化し、また図５に示すように、複屈折の方位によっても変化する。なおこの図５において、縦軸は、再生信号に対するウォブル信号のレシオであり、横軸は複屈折の方位であり、レーザービームの往復で複屈折量が６０〔ｎｍ〕の場合である。
【０００８】
本発明は以上の点を考慮してなされたもので、ウォブル信号の再生信号への漏れ込みを低減することができる光ディスク装置を提案しようとするものである。
【０００９】
【課題を解決するための手段】
かかる課題を解決するため請求項１の発明においては、再生信号よりウォブル信号の信号成分を抽出し、このウォブル信号の信号成分の信号レベルと、ウォブル信号との間の位相比較とに基づいて、第１及び又は第２の光量検出信号の信号レベルを補正して再生信号を生成する。
【００１１】
再生信号よりウォブル信号の信号成分を抽出し、このウォブル信号の信号成分の信号レベルと、ウォブル信号との間の位相比較とに基づいて、第１及び又は第２の光量検出信号の信号レベルを補正して再生すれば、面内複屈折が光ディスクの半径方向で変化して漏れ込み量が変化する場合でも、第１及び又は第２の光量検出信号の信号レベル補正量を動的に、かつ安定に変化させて漏れ込みを低減することができる。
【００１３】
【発明の実施の形態】
以下、適宜図面を参照しながら本発明の実施の形態を詳述する。
【００１４】
図２は、本発明の実施の形態に係るミニディスク装置を示すブロック図である。ここでミニディスク４は、所定のケースに保持され、ミニディスク装置１に装填されると、このケースに配置されたシャッターが開いてアクセスできるようになされている。またミニディスク４は、レーザービームをガイドする為のプリグルーブが情報記録面に蛇行して形成され、この蛇行の周波数を基準にして所定の回転速度で回転駆動できるようになされ、またレーザービーム照射位置のアドレスを検出することができるようになされている。
【００１５】
スピンドルモータ５は、サーボ回路６の制御により、グルーブを基準にした線速度一定の条件によりミニディスク４を回転駆動する。
【００１６】
光ピックアップ７は、ミニディスク４にレーザービームを照射して戻り光を受光し、この戻り光の偏光面に応じて信号レベルが変化する再生信号ＲＦ、グルーブの蛇行に応じて信号レベルが変化するウォブル信号、トラッキングエラー量に応じて信号レベルが変化するトラッキングエラー信号、フォーカスエラー量に応じて信号レベルが変化するフォーカスエラー信号を生成する。さらに光ピックアップ７は、記録時、間欠的にレーザービームの光量を立ち上げ、これにより所望のオーディオ信号を熱磁気記録できるようにする。
【００１７】
磁気ヘッド９は、ミニディスク４を間に挟んで、光ピックアップ７と対向するように配置され、駆動回路１０より出力される駆動信号に応じて光ピックアップ７によるレーザービーム照射位置に変調磁界を印加する。スレッド機構１１は、サーボ回路６の制御により、光ピックアップ７及び磁気ヘッド９をミニディスク４の半径方向に可動する。
【００１８】
サーボ回路６は、システム制御回路２０の制御により動作を切り換え、光ピックアップ７より出力されるトラッキングエラー信号及びフォーカスエラー信号に基づいて、光ピックアップ７をトラッキング制御及びフォーカス制御する。またウォブル信号を基準にして光ピックアップ７、磁気ヘッド９をシークさせ、またスピンドルモータ５の回転速度を制御する。
【００１９】
ＲＦアンプ１３は、再生信号ＲＦを波形等化した後、２値化して２値化信号Ｓ２を生成する。さらに２値化信号Ｓ２を基準にしてクロックを再生し、このクロックを基準にして２値化信号Ｓ２を順次ラッチすることにより、再生データＤ１を生成する。
【００２０】
アドレスデコーダ１４は、この再生データＤ１より、サブコードデータを取得し、これによりレーザービーム照射位置のアドレスを取得する。ミニディスク装置１では、このアドレスによってもサーボ回路６により光ピックアップ７におけるレーザービーム照射位置を制御し、また続くＲＡＭ８をアドレス制御する。
【００２１】
変復調回路１５は、この再生データＤ１をＥＦＭ復調した後、デインターリーブ処理する。さらに記録時に付加された誤り訂正符号により誤り訂正処理し、これによりオーディオ信号をデータ圧縮してなる圧縮符号化データＤ２を復調する。変復調回路１５は、記録時、メモリ制御回路１６より入力される圧縮符号化データＤ２に誤り訂正符号を付加した後、インターリーブ処理し、ＥＦＭ変調して記録信号を生成する。駆動回路１０は、この記録信号により磁気ヘッド９を駆動する。
【００２２】
メモリ制御回路１６は、ＲＡＭ８の動作を制御するコントローラにより構成され、再生時、変復調回路１５より出力される圧縮符号化データＤ２をＲＡＭ８に一時格納する。さらにこの格納した圧縮符号化データＤ２を入力順に読み出して圧縮伸長回路１７に出力する。またメモリ制御回路１６は、記録時、これとは逆に、圧縮伸長回路１７より入力される圧縮符号化データＤ２をＲＡＭ８に格納した後、変復調回路１５に出力する。
【００２３】
圧縮伸長回路１７は、再生時、メモリ制御回路１６よりセクタ単位で圧縮符号化データＤ２を受け、この圧縮符号化データＤ２をデータ伸長する。これにより圧縮伸長回路１７は、ディジタルオーディオ信号Ｄ４を復調して外部機器等に出力する。また記録時、圧縮伸長回路１７は、外部機器より順次入力されるディジタルオーディオ信号Ｄ５を順次所定の時間間隔により区切ってブロック化し、各ブロックをデータ圧縮する。
【００２４】
ディジタルアナログ変換回路（Ｄ／Ａ）１９は、圧縮伸長回路１７より出力されるディジタルオーディオ信号Ｄ４をディジタルアナログ変換処理し、アナログ信号によるオーディオ信号Ｓ４を出力する。アナログディジタル変換回路（Ａ／Ｄ）２１は、外部機器より入力されるアナログ信号によるオーディオ信号Ｓ５を、アナログディジタル変換処理してディジタルオーディオ信号Ｄ５を出力する。
【００２５】
システム制御回路２０は、マイクロコンピュータにより構成され、操作子２３の操作に応動してこのミニディスク装置１全体の動作を制御すると共に、表示部２４を介して所望の情報をユーザーに提供する。
【００２６】
図１は、光ピックアップ７の信号処理系統を示すブロック図である。光ピックアップ７は、ミニディスク４にレーザービームを照射し、その戻り光を対物レンズで受光する。さらに光ピックアップ７は、この戻り光より偏光面が直交し、戻り光の偏光面に応じて相補的に光量が変化する２条の光束を分離し、この２条の光束をそれぞれ受光素子Ｉ及びＪにより受光する。さらに光ピックアップ７は、図示しない電流電圧変換回路によりこれら２つの受光素子Ｉ及びＪの出力信号を電流電圧変換し、これにより戻り光の偏光面に応じて相補的に信号レベルが変化する第１及び第２の光量検出信号ＳＩ及びＳＪを生成する。光ピックアップ７は、差動増幅回路３０において、この第１及び第２の光量検出信号ＳＩ及びＳＪの差動出力信号を生成することにより、戻り光の偏光面に応じて信号レベルが変化する再生信号ＲＦを生成する。
【００２７】
このとき差動増幅回路３０は、エラー信号生成回路３５から出力されるエラー信号Ｓαに応じて、ＲＦ＝（ＳＩ−αＳＪ）により表される演算処理により再生信号ＲＦを生成して出力することにより、エラー信号生成回路３５の制御により第２の光量検出信号ＳＪの信号レベルを補正して再生信号を生成する。
【００２８】
また光ピックアップ７は、受光面を所定方向に田の字状に分割して形成された受光素子Ａ〜Ｄに戻り光を集光し、これら受光素子Ａ〜Ｄの出力信号を電流電圧変換処理する。光ピックアップ７は、これら受光素子Ａ〜Ｄの出力信号よりトラッキングエラー信号、フォーカスエラー信号を生成する。さらにウォブル信号生成回路３１における演算処理によりグルーブの蛇行に応じて信号レベルが変化するウォブル信号ＷＢを生成する。
【００２９】
バンドパスフィルタ（ＢＰＦ）３２は、再生信号ＲＦを帯域制限することにより、再生信号ＲＦに混入したウォブル信号ＷＢの信号成分を抽出する。
【００３０】
検波回路３３は、このバンドパスフィルタ３２の出力信号を検波することにより、再生信号ＲＦに含まれるウォブル信号成分の信号レベルを検出する。これにより検波回路３３は、図３に示すように、差動増幅回路３０における信号レベルの補正量α、ミニディスク４における複屈折に応じて再生信号ＲＦにウォブル信号成分が漏れ込むと、この漏れ込んだウォブル信号ＷＢの信号レベルに応じて信号レベルが変化する信号レベル検出信号ＳＬを出力する。
【００３１】
位相比較回路３４は、ウォブル信号ＷＢとバンドパスフィルタ３２の出力信号とを位相比較することにより、ウォブル信号ＷＢを基準にして再生信号ＲＦに漏れ込んでなるウォブル信号成分の位相を判定し、その判定結果を進み位相、遅れ位相を示す正負の判定信号Ｓφにより出力する。このとき位相比較回路３４は、再生信号ＲＦよりウォブル信号成分を抽出して変化する位相シフト量を補正して位相比較する。これにより位相比較回路３４は、差動増幅回路３０における信号レベルの補正量α、ミニディスク４における複屈折に応じて再生信号ＲＦにウォブル信号成分が漏れ込むと、この漏れ込んだウォブル信号ＷＢの位相に応じて極性が変化する判定信号Ｓφを出力する。
【００３２】
エラー信号生成回路３５は、判定信号Ｓφに応じて差動増幅回路３０における信号補正量αの値を値１より増減し、また信号レベル検出信号ＳＬの信号レベルに応じてこの増減量を変化させ、これにより再生信号ＲＦに漏れ込んだウォブル信号ＷＢをキャンセルするように第１及び第２の光量検出信号の差動出力信号を生成する。
【００３３】
以上の構成において、光ピックアップ７よりミニディスク４に照射したレーザービームは（図２）、ミニディスク４の透明基板を透過して情報記録面に到達し、ここで反射される。さらに反射されたレーザービームは、ミニディスク４の透明基板を再び透過して戻り光として光ピックアップ７の対物レンズにより受光される。これにより戻り光は、情報記録面に形成されたマーク、スペースにより偏光面が変化し、これに加えてミニディスク４の複屈折により偏光面が変化し、また情報記録面に形成されたグルーブにより光量が変化する。
【００３４】
この戻り光は、光ピックアップ７において（図１）、戻り光の偏光面に応じて相補的に光量が変化する２条の光束が分離され、この２条の光束がそれぞれ受光素子Ｉ及びＪにより受光される。これにより戻り光の偏光面に応じて相補的に信号レベルが変化する第１及び第２の光量検出信号ＳＩ及びＳＪが生成され、この第１及び第２の光量検出信号ＳＩ及びＳＪにおいては、ミニディスクの複屈折、グルーブの蛇行によっても信号レベルが変化することになる。
【００３５】
光ピックアップ７においては、差動増幅回路３０において、この第１及び第２の光量検出信号ＳＩ及びＳＪの差動出力信号が生成され、戻り光の偏光面に応じて信号レベルが変化する再生信号ＲＦが生成され、第１及び第２の光量検出信号ＳＩ及びＳＪの信号レベルがグルーブの蛇行によっても変化することにより、再生信号ＲＦに対するウォブル信号ＷＢの漏れ込みが発生する。
【００３６】
このように再生信号ＲＦに漏れ込んだウォブル信号ＷＢは、バンドパスフィルタ３２において再生信号ＲＦより分離抽出され、続く検波回路３３において信号レベルが検出されることにより漏れ込み量が検出される。また位相比較回路３４において、ウォブル信号ＷＢとの間で位相比較されることにより、ウォブル信号ＷＢを基準にしてその位相が検出される。さらにこのときバンドパスフィルタ３２の処理により変化する位相シフトが補正されて位相が検出される。
【００３７】
さらにこれら位相検出結果（Ｓφ）、信号レベル検出結果（ＳＬ）に応じて、差動増幅回路３０における信号レベル補正量αが切り換えられ、ＲＦ＝（ＳＩ−αＳＪ）により表される演算処理により、再生信号ＲＦに漏れ込んだウォブル信号ＷＢをキャンセルするように第１及び第２の光量検出信号の差動出力信号により再生信号ＲＦが生成される。
【００３８】
これにより再生信号ＲＦに漏れ込むウォブル信号ＷＢの信号レベルを低減するようにフィードバックループが形成され、安定かつ簡易な処理により、アスセス位置に応じて複屈折が変化した場合でも再生信号ＲＦに漏れ込むウォブル信号ＷＢを低減することができる。
【００３９】
これによりこの再生信号ＲＦがＲＦアンプ１３により２値化されるにつき、ウォブル信号ＷＢの漏れ込みが低減されていることにより、その分正しく２値化されて再生データＤ１に変換され、この再生データＤ１が十分なマージンにより処理されてミニディスク４に記録されたオーディオ信号等が再生される。
【００４０】
以上の構成によれば、再生信号よりウォブル信号の信号成分を抽出し、このウォブル信号の信号成分の信号レベルと、ウォブル信号との間の位相比較とに基づいて、第１及び又は第２の光量検出信号の信号レベルを補正して再生信号を生成することにより、簡易かつ安定に、再生信号に漏れ込むウォブル信号を低減することができる。
【００４１】
（２）第２の実施の形態
図４は、第２の実施の形態に係る光ピックアップ４０を示すブロック図である。この光ピックアップ４０においては、第１及び第２の光量検出信号ＳＩ及びＳＪに漏れ込んだウォブル信号ＷＢを事前に抑圧して再生信号ＲＦを生成する。なおこの実施の形態の構成は、本願に含まれるものでは無く、本願の参考例である。
【００４２】
すなわちこの光ピックアップ４０において、バンドパスフィルタ４１は、第１の光量検出信号ＳＩを帯域制限することにより、この第１の光量検出信号ＳＩよりウォブル信号ＷＢを抽出する。増幅回路４２は、バンドパスフィルタ４１の出力信号を利得１により反転増幅して出力する。位相シフト回路４３は、バンドパスフィルタ４１、増幅回路４２においてウォブル信号を処理して発生する位相シフト分、第１の光量検出信号ＳＩを遅延させて出力する。差動増幅回路４４は、この位相シフト回路４３の出力信号より、増幅回路４２の出力信号を減算し、これにより第１の光量検出信号ＳＩより抽出したウォブル信号によりこの第１の光量検出信号ＳＩに漏れ込んだウォブル信号を打ち消し、その結果得られる第１の光量検出信号ＳＩを出力する。
【００４３】
バンドパスフィルタ４６は、第２の光量検出信号ＳＪを帯域制限することにより、この第２の光量検出信号ＳＪよりウォブル信号ＷＢを抽出する。増幅回路４７は、バンドパスフィルタ４６の出力信号を利得１により反転増幅して出力する。位相シフト回路４８は、バンドパスフィルタ４６、増幅回路４７においてウォブル信号を処理して発生する位相シフト分、第２の光量検出信号ＳＪを遅延させて出力する。差動増幅回路４９は、この位相シフト回路４８の出力信号より、増幅回路４７の出力信号を減算し、これにより第２の光量検出信号ＳＪより抽出したウォブル信号によりこの第２の光量検出信号ＳＪに漏れ込んだウォブル信号を打ち消し、その結果得られる第２の光量検出信号ＳＪを出力する。
【００４４】
差動増幅回路５０は、この差動増幅回路４４、４９より出力される光量検出信号ＳＩ、ＳＪの差動出力信号を生成し、この差動出力信号を再生信号ＲＦとして出力する。
【００４５】
図４に示す構成においては、それぞれ第１及び第２の光量検出信号ＳＩ及びＳＪより抽出したウォブル信号ＷＢにより第１及び第２の光量検出信号ＳＩ及びＳＪに漏れ込んだウォブル信号ＷＢを打ち消し、その後再生信号ＲＦを生成することにより、第１の実施の形態の同様に、簡易かつ安定に再生信号ＲＦに漏れ込むウォブル信号を低減することができる。
【００４６】
（３）他の実施の形態
なお上述の第２の実施の形態においては、それぞれ位相シフト回路４３、４８により光量検出信号ＳＩ及びＳＪの位相を補正する場合について述べたが、本発明はこれに限らず、バンドパスフィルタ４１、４６の出力信号側で位相を補正してもよい。
【００４７】
また上述の第１の実施の形態においては、ＲＦ＝（ＳＩ−αＳＪ）の演算処理により第２の光量検出信号の信号レベルを補正して再生信号を生成する場合について述べたが、本発明はこれに限らず、第１の光量検出信号の信号レベルを補正して再生信号を生成してもよく、さらには第１及び第２の光量検出信号の双方の信号レベルを補正して再生信号を生成してもよい。
【００４８】
さらに上述の実施の形態においては、本発明をミニディスク装置に適用した場合について述べたが、本発明はこれに限らず、グルーブの蛇行を基準にして情報記録面に記録した種々のデータを再生する光磁気ディスク装置に広く適用することができる。
【００４９】
【発明の効果】
上述のように本発明によれば、再生信号から検出されるウォブル信号成分の信号レベルと位相検出結果とに基づいて、差動出力により再生信号を生成する第１及び第２の光量検出信号の信号レベルを補正することにより、又はそれぞれ第１及び第２の光量検出信号において、ウォブル信号成分を抽出して減算することにより、ウォブル信号の再生信号への漏れ込みを低減することができる。
【図面の簡単な説明】
【図１】本発明の第１の実施の形態に係るミニディスク装置の光ピックアップを示すブロック図である。
【図２】第１の実施の形態に係るミニディスク装置を示すブロック図である。
【図３】図１の光ピックアップにおけるウォブル信号の処理の説明に供する特性曲線図である。
【図４】第２の実施の形態に係るミニディスク装置の光ピックアップを示すブロック図である。
【図５】光ディスクにおける複屈折とウォブル信号の漏れ込みとの関係を示す特性曲線図である。
【符号の説明】
１……ミニディスク装置、４……ミニディスク、７、４０……光ピックアップ、３０、４４、４９、５０……差動増幅回路、３２、４１、４６……バンドパスフィルタ、３３……検波回路、３４……位相比較回路、３５……エラー信号生成回路、４２、４７……増幅回路、４３、４８……位相シフト回路
【図１】
0003882183.tif 000002
【図２】
0003882183.tif 000003
【図３】
0003882183.tif 000004
【図４】
0003882183.tif 000005
【図５】
0003882183.tif 000006